(57)【要約】      （修正有）【課題】平面体と立体物とを同時に展示して同時に目視することができるようにしたカプセルスタンドを提供する。【解決手段】両端縁に沿って被嵌合部が形成された一対の透明フレーム板１１，１２の間に平面体Ｐを挟み込み、被嵌合部を一対の透明カプセル２１，２２の嵌合部に嵌合させることにより、一対の透明フレーム板１１，１２と一対の透明カプセル２１，２２とを一体化する。そして、各透明カプセル２１，２２内に立体物Ｑを収納する。【選択図】図１
0003143735.tif 000002
【実用新案登録請求の範囲】
【請求項１】
両端縁に沿って被嵌合部が形成された一対の透明フレーム板と、
密閉自在な透明筒体で形成され、該透明筒体の外周面に長手方向に沿って前記被嵌合部と嵌合する嵌合部が設けられた一対の透明カプセルとを備え、
前記一対の透明フレーム板の間に平面体を挟み込み、前記被嵌合部を前記嵌合部に嵌合させることにより、前記一対の透明フレーム板と前記一対の透明カプセルとを一体化することを特徴とするカプセルスタンド。
【考案の詳細な説明】
【技術分野】
【０００１】
本考案はカプセルスタンドに関し、特に写真，カレンダー，料金表等の平面体を記念品，思出品，装飾品等の立体物とともに飾ることができるカプセルスタンドに関する。
【背景技術】
【０００２】
特許文献１には、記念品，思出品，装飾品等の被展示物を写真とともに飾る展示ケースが開示されている。この展示ケースは、上方に被展示物を収納可能な空間を有し透明な壁部を有する展示室部と、下方に小物類を入れる小物入れ部とを設けたケースからなる展示ケースにおいて、ケースの側面部に写真立て部を設けたものである。具体的には、野球のボールと、野球のユニホーム姿の写真とを同時に展示するようにしている。
【特許文献１】特開２００５−０５２３３１号公報
【考案の開示】
【考案が解決しようとする課題】
【０００３】
しかし、上述した従来の展示ケースは、ケースの側面部に写真立て部が設けられていたので、被展示物と写真とを同時に目視することができないという問題点があった。このため、被展示物を写真と同時に飾ることにあまり意味がなかった。
【０００４】
本考案の目的は、上述の点に鑑み、平面体と立体物とを同時に展示して同時に目視することができるようにしたカプセルスタンドを提供することにある。
【課題を解決するための手段】
【０００５】
請求項１に記載のカプセルスタンドは、両端縁に沿って被嵌合部が形成された一対の透明フレーム板と、密閉自在な透明筒体で形成され、該透明筒体の外周面に長手方向に沿って前記被嵌合部と嵌合する嵌合部が設けられた一対の透明カプセルとを備え、前記一対の透明フレーム板の間に平面体を挟み込み、前記被嵌合部を前記嵌合部に嵌合させることにより、前記一対の透明フレーム板と前記一対の透明カプセルとを一体化することを特徴とする。
【考案の効果】
【０００６】
本考案のカプセルスタンドは、一対の透明フレーム板の間に平面体を挟み込み、一対の透明フレーム板の被嵌合部を一対の透明カプセルの嵌合部に嵌合させて、一対の透明フレーム板と一対の透明カプセルとを一体化し、各透明カプセル内に立体物を収納できるようにしたことにより、平面体と立体物とを同時に展示して同時に目視することができる。
【考案を実施するための最良の形態】
【０００７】
平面体と立体物とを同時に展示して同時に目視できるカプセルスタンドを提供するという目的を、一対の透明フレーム板の間に平面体を挟み込み、一対の透明フレーム板の被嵌合部を一対の透明カプセルの嵌合部に嵌合させて、一対の透明フレーム板と一対の透明カプセルとを一体化し、各透明カプセル内に立体物を収納できるようにしたことにより実現した。
【実施例】
【０００８】
図１は、本考案の実施例に係るカプセルスタンドの正面側斜視図である。本実施例に係るカプセルスタンドは、前後一対の透明フレーム板１１，１２と、左右一対の透明カプセル２１，２２とから、その主要部が構成されている。本実施例に係るカプセルスタンドは、写真等の平面体Ｐを挟み込んだ前後一対の透明フレーム板１１，１２に左右一対の透明カプセル２１，２２を取り付けることにより組み立てられる。組み立てた状態で透明カプセル２１，２２内に記念品等の立体物Ｑを収納し、透明カプセル２１，２２の底面を棚，机等の平面に置くことにより立てた状態で使用される。
【０００９】
透明フレーム板１１，１２は、図２に示すように、透明合成樹脂（例えば、透明アクリル樹脂）で四角平板状に成形されており、内面側にＬサイズの写真が挟み込める大きさの段差面がそれぞれ形成されている。したがって、透明フレーム板１１，１２間には、写真２枚の厚みの平面体Ｐまで挟み込めるようになっている。２枚の写真を背中合わせに挟み込んだ状態では、透明フレーム板１１，１２は裏返し可能となっている。
【００１０】
また、透明フレーム板１１，１２には、縦長の配置状態で左右両端縁に沿って被嵌合部１１ａ，１１ｂおよび１２ａ，１２ｂが形成されている。被嵌合部１１ａ，１１ｂは、透明フレーム板１１の外側面（前面）の左右両端縁に上下方向に沿った直角三角溝として形成されている。また、被嵌合部１２ａ，１２ｂは、透明フレーム板１２の外側面（後面）の左右両端縁に上下方向に沿った直角三角溝として形成されている。この結果、被嵌合部１１ａ，１２ａおよび１１ｂ，１２ｂは、一対の透明フレーム板１１，１２を前後に合わせた状態で、それぞれ断面逆台形状のほぞを成すようになっている。ただし、ほぞの断面逆台形状のサイズは、上から下に行くほど極めて僅かずつであるが小さくなるようになっており、透明フレーム板１１，１２は上下を入れ換えることはできないようになっている。このため、透明フレーム板１１，１２の右側の被嵌合部１１ｂ，１２ｂの下端部寄りには、透明フレーム板１１，１２が内面同士で正しく重ね合わせられていることを示すと同時に被嵌合部１１ａ，１２ａおよび１１ｂ，１２ｂを後述する嵌合部２１ｃ，２２ｃに正しくスライド嵌合する方向を示す矢印（任意の印でよい）１１ｃ，１２ｃが付されている。なお、すでに述べたように、透明フレーム板１１，１２は合わせた状態で裏返し可能であるので、裏返した状態では、矢印１１ｃ，１２ｃは透明フレーム板１１，１２の右側の被嵌合部１１ａ，１２ａに付されていることになる。
【００１１】
透明フレーム板１１，１２は、同じサイズであり、例えば、縦１３２ｍｍ程度、横９７ｍｍ程度、厚さ２ｍｍ程度に設定されている。
【００１２】
透明カプセル２１，２２は、図３ないし図５に示すように、透明筒体２１ａ，２２ａと、透明筒体２１ａ，２２ａの下端開口に嵌合されて装着される底蓋２１ｄ，２２ｄと、透明筒体２１ａ，２２ａの上端開口に嵌合されて装着される上蓋２１ｅ，２２ｅと、透明筒体２１ａ，２２ａの外周面に長手方向に沿って突設され、透明フレーム板１１，１２の被嵌合部１１ａ，１１ｂおよび１２ａ，１２ｂとスライド嵌合する嵌合部２１ｃ，２２ｃが形成されたレール２１ｂ，２２ｂとから構成されている。なお、透明筒体２１ａ，２２ａとレール２１ｂ，２２ｂとは、透明合成樹脂（例えば、透明アクリル樹脂）で一体成形されている。
【００１３】
透明筒体２１ａ，２２ａは、上から下に向けて極めて僅かずつであるが太くなるように成形された円筒体でなる。すなわち、透明筒体２１ａ，２２ａは、下端開口の内径が上端開口の内径より大きくなっていて、下端開口には底蓋２１ｄ，２２ｄが、上端開口には上蓋２１ｅ，２２ｅがそれぞれ嵌合されて透明カプセル２１，２２が形成されるようになっている。このように、透明筒体２１ａ，２２ａを上から下に向けて極めて僅かずつであるが太くなるように成形したのは、成形金型を抜き出しやすいようにするためである。これにより、透明筒体２１ａ，２２ａの下端開口に上蓋２１ｅ，２２ｅを嵌合しようとしても緩くて固着することができず、透明筒体２１ａ，２２ａの上端開口に底蓋２１ｄ，２２ｄを嵌合しようとしても嵌め合わせることができない。
【００１４】
透明筒体２１ａ，２２ａは、同じサイズであり、例えば、外径３０ｍｍ程度、内径２６ｍｍ程度、厚み２ｍｍ程度、高さ１３３ｍｍ程度に設定されている。
【００１５】
レール２１ｂには、前後一対の透明フレーム板１１，１２の被嵌合部１１ａ，１２ａとスライド嵌合する嵌合部２１ｃが形成されている。レール２２ｂには、前後一対の透明フレーム板１１，１２の被嵌合部１１ｂ，１２ｂとスライド嵌合する嵌合部２２ｃが形成されている。なお、既述したように、透明フレーム板１１，１２は合わせた状態で裏返し可能であるので、裏返した状態では、被嵌合部１１ａ，１２ａを嵌合部２２ｃに、被嵌合部１１ｂ，１２ｂを嵌合部２１ｃにスライド嵌合することができる。また、被嵌合部１１ａ，１２ａおよび１１ｂ，１２ｂのほぞの断面逆台形状のサイズは、上から下に行くほど極めて僅かずつであるが小さくなるようになっているので、嵌合部２１ｃおよび２２ｃの断面逆台形状のサイズも上から下に行くほど極めて僅かずつであるが小さくなるようになっている。
【００１６】
レール２１ｂ，２２ｂは、同じサイズであり、例えば、突出長（嵌合部２１ｃ，２２ｃの深さ）３ｍｍ程度、幅８ｍｍ程度、高さ１３３ｍｍ程度に設定されている。
【００１７】
底蓋２１ｄ，２２ｄは、図３に示すように、上面に輪状突縁でなるフランジ部２１ｄ１，２２ｄ１が突設されているとともに、一側面にレール２１ｂ，２２ｂの下端面とほぼ同じ形状および大きさの突片２１ｄ２，２２ｄ２が突設されている円板体として透明合成樹脂（例えば、透明アクリル樹脂）で成形されている。
【００１８】
底蓋２１ｄ，２２ｄは、同じサイズであり、例えば、外径３０ｍｍ程度、厚み４ｍｍ程度、フランジ部２１ｄ１，２２ｄ１の外径２６ｍｍ程度、フランジ部２１ｄ１，２２ｄ１の高さ２ｍｍ程度に設定されている。また、突片２１ｄ２，２２ｄ２のサイズは、突出長３ｍｍ程度、幅８ｍｍ程度、厚み２ｍｍ程度に設定されている。
【００１９】
上蓋２１ｅ，２２ｅは、図５に示すように、下面に輪状突縁でなるフランジ部２１ｅ１，２２ｅ１が突設されている円板体として透明合成樹脂（例えば、透明アクリル樹脂）で成形されている。
【００２０】
上蓋２１ｅ，２２ｅは、同じサイズであり、例えば、外径３０ｍｍ程度、厚み４ｍｍ程度、フランジ部２１ｅ１，２２ｅ１の外径２６ｍｍ程度、フランジ部２１ｅ１，２２ｅ１の高さ２ｍｍ程度に設定されている。
【００２１】
次に、このように構成された本実施例に係るカプセルスタンドの組み立て手順について、図１ないし図５を参照しながら説明する。
【００２２】
まず、図２に示すように、一対の透明フレーム板１１，１２間に展示しようとする平面体Ｐを挟み込む。このとき、透明フレーム板１１の被嵌合部１１ａ，１１ｂが形成されている面を前面とし、透明フレーム板１２の被嵌合部１２ａ，１２ｂが形成されている面を後面とし、矢印１１ｃ，１２ｃを重ね合わせるようにする。なお、図２では、平面体Ｐとして犬の写真を挟み込んだ例が図示されているが、一対の透明フレーム板１１，１２間には、写真であれば２枚まで挟み込むことができる。２枚の写真を背中合わせに挟み込めば、前後から２枚の写真のいずれかを見ることができる。一対の透明フレーム板１１，１２を前後に合わせた状態で、被嵌合部１１ａ，１２ａおよび１１ｂ，１２ｂは、それぞれ断面逆台形状のほぞを成すことになる。
【００２３】
次に、図３に示すように、左右一対の透明筒体２１ａ，２２ａの下端開口に底蓋２１ｄ，２２ｄのフランジ部２１ｄ１，２２ｄ１を嵌合させて、透明筒体２１ａ，２２ａの底面を密閉する。このとき、透明筒体２１ａ，２２ａのレール２１ｂ，２２ｂの下端面と、底蓋２１ｄ，２２ｄの突片２１ｄ２，２２ｄ２とをほぼ一致させるようにする。なお、すべりが悪いときには、透明筒体２１ａ，２２ａの下端開口および／またはフランジ部２１ｄ１，２２ｄ１にクリーム等を薄く塗ると、容易に透明筒体２１ａ，２２ａの下端開口に底蓋２１ｄ，２２ｄのフランジ部２１ｄ１，２２ｄ１を嵌合させることができる。また、この段階で、透明筒体２１ａ，２２ａの下端開口に底蓋２１ｄ，２２ｄを嵌合させて透明筒体２１ａ，２２ａの底面を密閉するのではなく、あらかじめ販売前の段階で透明筒体２１ａ，２２ａの下端開口に接着剤を用いて底蓋２１ｄ，２２ｄを固着しておいてもよい。
【００２４】
続いて、一対の透明フレーム板１１，１２の被嵌合部１１ａ，１１ｂおよび１２ａ，１２ｂをレール２１ｂ，２２ｂの嵌合部２１ｃ，２２ｃに上から下に向けて差し込んでスライド嵌合させる。スライド嵌合が終了した位置では、被嵌合部１１ａ，１１ｂおよび１２ａ，１２ｂの下端面は、底蓋２１ｄ，２２ｄの突片２１ｄ２，２２ｄ２に当接することになる。
【００２５】
次に、図４に示すように、透明筒体２１ａ，２２ａの中に上端開口から立体物Ｑを入れたり、好きなデコレーションを施したりする。なお、図４では、立体物Ｑとして砂や貝殻等を入れた例が図示されている。
【００２６】
最後に、図５に示すように、左右一対の透明筒体２１ａ，２２ａの上端開口に対して上蓋２１ｅ，２２ｅのフランジ部２１ｅ１，２２ｅ１を嵌合させて、透明筒体２１ａ，２２ａの上面を密閉する。なお、すべりが悪いときには、透明筒体２１ａ，２２ａの上端開口および／またはフランジ部２１ｅ１，２２ｅ１にクリーム等を薄く塗ると、容易に透明筒体２１ａ，２２ａの上端開口に上蓋２１ｅ，２２ｅのフランジ部２１ｅ１，２２ｅ１を嵌合させることができる。この結果、本実施例に係るカプセルスタンドが完成する。完成されたカプセルスタンドは、図１に示すように、透明カプセル２１，２２の底面を底面として棚，机等の平面に立てた状態で置くことができる。この置いた状態で、カプセルスタンドは、透明フレーム板１１，１２において平面体Ｐを展示すると同時に、透明カプセル２１，２２において立体物Ｑを展示する。
【００２７】
ところで、上記手順の説明では、平面体Ｐを、例えば犬の写真とした例について説明したが、平面体Ｐはカレンダー，メニュー，広告，チラシ等の任意なものとすることができる。また、立体物Ｑを、例えば砂と貝殻とした例について説明したが、立体物Ｑは、図４中に示すように、第二ボタンのような記念品，落ち葉のような思出品，リボンのような装飾品等の任意なものとすることができる。具体的には、平面体Ｐをメニュー、立体物Ｑをコーヒー豆とすることにより、レストランや喫茶店等の飲食店でのコーヒーの注文を顧客に暗に促す効果が得られる。
【００２８】
以上説明したように、本考案によれば、一対の透明フレーム板１１，１２の間に平面体Ｐを挟み込み、一対の透明フレーム板１１，１２の被嵌合部１１ａ，１１ｂおよび１２ａ，１２ｂを嵌合部２１ｃ，２２ｃに嵌合させて、一対の透明フレーム板１１，１２と一対の透明カプセル２１，２２とを一体化し、各透明カプセル２１，２２内に立体物Ｑを収納できるようにしたことにより、平面体Ｐと立体物Ｑとを同時に展示して同時に目視することができる。
【００２９】
以上、本考案の実施例を説明したが、これはあくまでも例示にすぎず、本考案はこれに限定されるものではなく、実用新案登録請求の範囲の趣旨を逸脱しない限りにおいて、当業者の知識に基づく種々の変更が可能である。
【００３０】
例えば、本実施例では、前後一対の透明フレーム板１１，１２を内面側にＬサイズの写真が挟み込める大きさとし、縦方向の左右両端縁に被嵌合部１１ａ，１２ａおよび１１ｂ，１２ｂを設けるようにしたが、縦方向の上下両端縁にも被嵌合部を設け、透明カプセル２１，２２の嵌合部２１ｃ，２２ｃに嵌合させる被嵌合部を切り替えることにより、平面体Ｐの縦横の展示方向を簡単に切り替えられるようにしてもよい。また、一対の透明フレーム板１１，１２のサイズとして様々な種類のものを用意し、これらの内の１種類を選択的に透明カプセル２１，２２に組み合わせて使用するようにしてもよい。
【００３１】
また、本実施例では、一対の透明フレーム板１１，１２を前後に合わせた状態での被嵌合部１１ａ，１２ａおよび１１ｂ，１２ｂの形状は、断面逆台形状のほぞであると説明したが、被嵌合部１１ａ，１２ａおよび１１ｂ，１２ｂの断面形状は必ずしも断面逆台形状である必要はなく、透明カプセル２１，２２の嵌合部２１ｃ，２２ｃに嵌合する断面形状であればどのような断面形状を有していてもよい。
【００３２】
さらに、本実施例では、左右一対の透明筒体２１ａ，２２ａを同一のサイズとしたが、両者の高さや太さを異ならせることもできる。また、透明筒体２１ａ，２２ａを円筒形状としたが、三角筒形状，四角筒形状等の他の形状とすることもできる。これに伴い、レール２１ｂ，２２ｂを必ずしも設ける必要はなく、透明筒体２１ａ，２２ａの一部に嵌合部２１ｃ，２２ｃを直接設けるようにしてもよい。
【００３３】
さらにまた、本実施例では、透明フレーム板１１，１２ならびに透明筒体２１ａ，２２ａ，レール２１ｂ，２２ｂ，底蓋２１ｄ，２２ｄおよび上蓋２１ｅ，２２ｅをそれぞれ透明であると説明したが、これらは透明であれば全部または一部を着色するようにしてもよい。一部を着色することにより、全部が無色透明である場合に比べて、装飾性を高めることができる。また、底蓋２１ｄ，２２ｄと上蓋２１ｅ，２２ｅとを異なる着色とすることにより、両者を目視で区別することができるようになる。
【産業上の利用可能性】
【００３４】
平面体と立体物とを同時に展示して同時に目視することができるカプセルスタンドとしたので、通常の写真スタンドとしてばかりでなく、カレンダー表示具，メニュー表示具，広告宣伝用表示具，贈答用文具，アメニティーグッズ等としても広く普及することが可能である。
【図面の簡単な説明】
【００３５】
【図１】本考案の実施例に係るカプセルスタンドの正面側斜視図。
【図２】本実施例に係るカプセルスタンドの組立手順を説明する斜視図。
【図３】本実施例に係るカプセルスタンドの組立手順を説明する斜視図。
【図４】本実施例に係るカプセルスタンドの組立手順を説明する斜視図。
【図５】本実施例に係るカプセルスタンドの組立手順を説明する斜視図。
【符号の説明】
【００３６】
１１，１２  透明フレーム板
１１ａ，１１ｂ，１２ａ，１２ｂ  被嵌合部
１１ｃ，１２ｃ  矢印
２１，２２  透明カプセル
２１ａ，２２ａ  透明筒体
２１ｂ，２２ｂ  レール
２１ｃ，２２ｃ  嵌合部
２１ｄ，２２ｄ  底蓋
２１ｄ１，２２ｄ１  フランジ部
２１ｄ２，２２ｄ２  突片
２１ｅ，２２ｅ  上蓋
２１ｅ１，２２ｅ１  フランジ部
Ｐ  平面体
Ｑ  立体物
【図１】
0003143735.tif 000003
【図２】
0003143735.tif 000004
【図３】
0003143735.tif 000005
【図４】
0003143735.tif 000006
【図５】
0003143735.tif 000007